【事件の表示】
　特願２００５−　　２３７２「横電界方式液晶表示装置及びその製造方法」拒絶査定不服審判事件〔平成１７年　９月２２日出願公開、特開２００５−２５８４０８〕について、次のとおり審決する。
【結　論】
　本件審判の請求は、成り立たない。
【理　由】
１　手続の経緯・本願発明
　本願は、平成１７年１月７日（パリ条約による優先権主張２００４年３月１１日、大韓民国）の出願であって、平成２０年８月６日付けで手続補正がなされ、平成２１年１月２９日付けで拒絶査定がなされ、これに対し、同年５月１日に拒絶査定不服審判が請求されるとともに、同日付けで手続補正がなされ、その後、当審において平成２２年６月１５日付けで前記平成２１年５月１日付け手続補正が却下されるとともに、同日付けで拒絶理由が通知され、平成２２年９月１６日付けで手続補正がなされ、同年１０月４日付けで拒絶理由が通知され、平成２３年１月１３日付け及び同年３月３０日付けで手続補正がなされたものである。
　
　そして、本願の請求項に係る発明は、平成２３年３月３０日付け手続補正による補正後の明細書及び図面の記載からみて、その特許請求の範囲の請求項１ないし３に記載された事項によって特定されるものと認められるところ、請求項１に係る発明は次のとおりである。
　
「相互対向する第１及び第２の基板と、
　前記第１の基板に配列されて複数の画素領域を定義する複数のゲートライン及びデータラインと、
　前記画素領域に交互に配置されて水平電界を発生させる複数の共通電極及び画素電極と、
　　　ここで、前記複数の共通電極及び画素電極はそれぞれ、ジグザグ形態を有するように形成され、不透明電極で構成される下部層と前記下部層の上部表面上のみに形成された透明電極で構成される上部層を含む多層構造を有し、前記ジグザグ形態において作られる各折れ曲がり部から延伸する部分が液晶の配向方向に対して１〜３０°であり、前記不透明電極の幅（Ｗｎ）は、前記透明電極の幅（Ｗｔ）より狭く、画面のコントラスト比を向上させるため前記上部層の縁部から所定の幅（Ｗｔ）までの領域の中央領域に形成され、透明電極と前記不透明電極の間の幅（Ｗｄ）は、前記透明電極でのホワイト輝度の増加に影響し、
　前記第１の基板と第２の基板との間に形成された液晶層と、
を含むことを特徴とする液晶表示装置。」（以下「本願発明」という。）
　
　
２　引用刊行物の記載事項
（１）引用刊行物１
　当審において平成２２年６月１５日付けで通知した拒絶の理由に引用した、本願の優先日前に頒布された刊行物である特開２００３−４３５０９号公報（以下「引用刊行物１」という。）には、図とともに下記の事項が記載されている。
　
　ア　「【特許請求の範囲】
・・・
【請求項７】  液晶を介して対向配置される各基板のうち一方の基板の液晶側の面に、その一方向に延在する複数のゲート信号線と該方向と交差する方向に延在する複数のドレイン信号線とで囲まれる領域を画素領域とし、
これら各画素領域に、ゲート信号線からの走査信号によって作動するスイッチング素子と、このスイッチング素子を介してドレイン信号線からの映像信号が供給される画素電極と、この画素電極との間に電界を発生せしめる対向電極とを備え、
前記画素電極および対向電極はそれぞれ交互に配置された帯状の複数の電極から構成され、
前記各対向電極は絶縁膜の上層に形成されて前記ドレイン信号線を被うようにするものを有し、前記各画素電極は前記絶縁膜の下層に形成され、
前記対向電極はその上層をエッチング速度の遅い層とし下層をエッチング速度の速い層とした２層構造からなることを特徴とする液晶表示装置。」
　
　イ　「【０００１】
【発明の属する技術分野】本発明は液晶表示装置に係り、特に、いわゆる横電界方式と称される液晶表示装置に関する。」
　
　ウ　「【００１４】
【発明の実施の形態】・・・
実施例１．
《等価回路》図２は、本発明による液晶表示装置の一実施例を示す等価回路図である。・・・
【００１５】液晶を介して互いに対向配置される一対の透明基板ＳＵＢ１、ＳＵＢ２があり、該液晶は一方の透明基板ＳＵＢ１に対する他方の透明基板ＳＵＢ２の固定を兼ねるシール材ＳＬによって封入されている。
【００１６】シール材ＳＬによって囲まれた前記一方の透明基板ＳＵＢ１の液晶側の面には、そのｘ方向に延在しｙ方向に並設されたゲート信号線ＧＬとｙ方向に延在しｙ方向に並設されたドレイン信号線ＤＬとが形成されている。
【００１７】各ゲート信号線ＧＬと各ドレイン信号線ＤＬとで囲まれた領域は画素領域を構成するとともに、これら各画素領域のマトリクス状の集合体は液晶表示部ＡＲを構成するようになっている。
【００１８】また、ｘ方向に並設される各画素領域のそれぞれにはそれら各画素領域内に走行された共通の対向電圧信号線ＣＬが形成されている。この対向電圧信号線ＣＬは各画素領域の後述する対向電極ＣＴに映像信号に対して基準となる電圧を供給するための信号線となるものである。
【００１９】各画素領域には、その片側のゲート信号線ＧＬからの走査信号によって作動される薄膜トランジスタＴＦＴと、この薄膜トランジスタＴＦＴを介して片側のドレイン信号線ＤＬからの映像信号が供給される画素電極ＰＸが形成されている。この画素電極ＰＸは、前記対向電圧信号線ＣＬと接続された対向電極ＣＴとの間に電界を発生させ、この電界によって液晶の光透過率を制御させるようになっている。
・・・
【００２６】《画素の構成》図１は前記画素領域の構成の一実施例を示す平面図である。また、図３は図１のIII−III線における断面図である。透明基板ＳＵＢ１の液晶側の面に、まず、ｘ方向に延在しｙ方向に並設される一対のゲート信号線ＧＬが形成されている。これらゲート信号線ＧＬと後述の一対のドレイン信号線ＤＬで囲まれる領域を画素領域として構成するようになっている。
【００２７】このようにゲート信号線ＧＬが形成された透明基板の表面にはたとえばＳｉＮからなる絶縁膜ＧＩが該ゲート信号線ＧＬをも被って形成されている。・・・
【００２８】そして、この絶縁膜ＧＩの表面であって、前記ゲート信号線ＧＬの一部に重畳するようにしてたとえばアモルファスＳｉからなる半導体層ＡＳが形成されている。この半導体層ＡＳは、薄膜トランジスタＴＦＴのそれであって、その上面にドレイン電極ＳＤ１およびソース電極ＳＤ２を形成することにより、ゲート信号線ＧＬの一部をゲート電極とする逆スタガ構造のＭＩＳ型トランジスタを構成することができる。
【００２９】ここで、前記ドイレン電極ＳＤ１およびソース電極ＳＤ２はドレイン信号線ＤＬの形成の際に同時に形成されるようになっている。すなわち、y方向に延在されx方向に並設されるドレイン信号線ＤＬが形成され、その一部が前記半導体層ＡＳの上面にまで延在されてドレイン電極ＳＤ１が形成され、また、このドレイン電極ＳＤ１と薄膜トランジスタＴＦＴのチャネル長分だけ離間されてソース電極ＳＤ２が形成されている。
【００３０】このソース電極ＳＤ２は半導体層ＡＳ面から画素領域側の絶縁膜ＧＩの上面に至るまで延在され画素電極ＰＸを構成するようになっている。この画素電極ＰＸは画素領域をたとえば図中ｙ方向に延在するたとえば２本の電極群から構成され、これら各電極は画素領域の上部で互いに接続されている。
【００３１】なお、これら各画素電極ＰＸはその延在方向に沿っていくつかの屈曲部が形成され、これによりいわゆるジグザグ状のパターンとして形成されている。このようにした理由はいわゆるマルチドメイン方式を採用しているもので、その詳述は対向電極ＣＴの説明の際にする。
・・・
【００３５】このように薄膜トランジスタＴＦＴ、ドイレン信号線ＤＬ、ドレイン電極ＳＤ１、およびソース電極ＳＤ２が形成された透明基板ＳＵＢ１の表面には保護膜ＰＳＶが形成されている。・・・
・・・
【００３７】保護膜ＰＳＶの上面には対向電極ＣＴが形成されている。この対向電極ＣＴは平面的に観て、前記各画素電極ＰＸの間をｙ方向に延在する対向電極、この対向電極に対してそれぞれ前記各画素電極ＰＸを間にして配置される各対向電極の合計３本の電極群から構成されている。
【００３８】これらの電極群のうちドレイン信号線ＤＬに隣接する対向電極ＣＴはこの画素領域に隣接する他の画素領域に形成される対向電極ＣＴであって前記ドレイン信号線ＤＬに隣接する対向電極ＣＴと該ドレイン信号線ＤＬを被うようにして互いに接続されている。
・・・
【００４１】・・・各対向電極ＣＴは、画素電極ＰＸと同様に、その延在方向に沿っていくつかの屈曲部が設けられ、画素電極ＰＸと平行配置を保持したままで、それらがジグザグ状に延在するように構成されている。
【００４２】いわゆるマルチドメイン方式を採用した構成となっている。すなわち、液晶はその分子配列が同じ状態でも、透明基板に入射する光の入射方向によって透過光の偏光状態が変化するので、入射方向に対応して光の透過率が異なってしまう。
【００４３】このような液晶表示装置の視角依存性は視角方向に対し視点を斜めに傾けると、輝度の逆転現象を引き起こすことになり、カラー表示の場合に画像が色づくという表示特性を有する。
【００４４】このため、各電極の屈曲点を結んだ仮想の線を境にし一方の領域と他方の領域とで各電極間に作用する電界の方向を異ならしめ、これにより、視野角に依存する画像の色づきを補償するようにしている。
・・・
【００５４】・・・対向電極ＣＴが形成された透明基板ＳＵＢ１の上面には該対向電極ＣＴをも被って配向膜ＯＲＩ１が形成されている。この配向膜ＯＲＩ１は液晶と直接に当接する膜で、その表面に形成されたラビングによって該液晶の分子の初期配向方向を決定づけるようになっている。」
　
　エ　「【００６８】実施例４．図７（ａ）は、本発明による液晶表示装置の他の実施例を示す要部構成図で、画素電極ＰＸあるいは対向電極ＣＴの断面を示した図となっている。
【００６９】電極は２層構造からなっており、その下層Ｌ（ｄ）の導体層はエッチング速度の大きい層で形成し、上層Ｌ（ｕ）の導体層はエッチング速度の小さい層で形成していることにある。・・・
【００７０】これにより、前記電極をフォトリソグフィ技術による選択エッチング方法で形成した場合に、電極材料の大部分がエッチング速度の大きい層で形成されているため、残渣の発生を抑制できるようになる。
・・・
【００７３】上述した電極材料としては、Ｃｒ、Ｍｏ、Ａｌ、Ｔｉ、Ｔａ、Ｗ、Ｃｕのいずれかを含み、もしくはそれらの合金で構成することができる。また、ＩＴＯ、ＳｎＯ２、Ｉｎ２Ｏ３、ＩＺＯ等のような透光性の導体層であってもよい。この場合、同一のエッチング液でエッチングできる導体層を選択して組み合わせるようにする。」
　
　オ　上記エ（【００６８】ないし【００７０】）を踏まえて図７（ａ）をみると、引用刊行物１の実施例４の液晶表示装置において、画素電極及び対向電極は、その上層をエッチング速度の遅い層とし下層をエッチング速度の速い層とした２層構造からなり、下層Ｌ（ｄ）の幅は上層Ｌ（ｕ）の幅より狭いことが理解できる。
　
　カ　上記ウ（【００３１】、【００４１】ないし【００４４】、及び【００５４】）を踏まえると、引用刊行物１の実施例１の液晶表示装置において、
　（ア）各画素電極は、その延在方向に沿っていくつかの屈曲部が形成され、また、各対向電極は、画素電極と同様に、その延在方向に沿っていくつかの屈曲部が設けられ、画素電極と平行配置を保持したままで、それらがジグザグ状に延在するように構成され、いわゆるマルチドメイン方式を採用した構成となっており、視野角に依存する画像の色づきを補償するようにしている、といえ、
　（イ）対向電極が形成された透明基板の上面には該対向電極をも被って配向膜が形成されており、この配向膜は液晶と直接に当接する膜で、その表面に形成されたラビングによって該液晶の分子の初期配向方向を決定づけるようになっている、といえる。
　そして、上記（ア）及び（イ）は、引用刊行物１の実施例４として示された液晶表示装置にも採用されるものである、と解される。
　
　以上によれば、引用刊行物１には、次の発明（以下「引用発明」という。）が記載されていると認められる。
　
「液晶を介して対向配置される各基板のうち一方の基板の液晶側の面に、その一方向に延在する複数のゲート信号線と該方向と交差する方向に延在する複数のドレイン信号線とで囲まれる領域を画素領域とし、
　これら各画素領域に、ゲート信号線からの走査信号によって作動するスイッチング素子と、このスイッチング素子を介してドレイン信号線からの映像信号が供給される画素電極と、この画素電極との間に電界を発生せしめる対向電極とを備え、
　前記画素電極および対向電極はそれぞれ交互に配置された帯状の複数の電極から構成され、
　対向電極が形成された透明基板の上面には該対向電極をも被って配向膜が形成されており、この配向膜は液晶と直接に当接する膜で、その表面に形成されたラビングによって該液晶の分子の初期配向方向を決定づけるようになっており、
　前記画素電極及び対向電極は、その上層をエッチング速度の遅い層とし下層をエッチング速度の速い層とした２層構造からなり、下層の幅は上層の幅より狭く、
　電極材料としては、Ｃｒ、Ｍｏ、Ａｌ、Ｔｉ、Ｔａ、Ｗ、Ｃｕのいずれかを含み、また、ＩＴＯ、ＳｎＯ２、Ｉｎ２Ｏ３、ＩＺＯ等のような透光性の導体層であってもよく、
　前記電極をフォトリソグフィ技術による選択エッチング方法で形成した場合に、電極材料の大部分がエッチング速度の大きい層で形成されているため、残渣の発生を抑制でき、
　各画素電極は、その延在方向に沿っていくつかの屈曲部が形成され、また、各対向電極は、画素電極と同様に、その延在方向に沿っていくつかの屈曲部が設けられ、画素電極と平行配置を保持したままで、それらがジグザグ状に延在するように構成され、いわゆるマルチドメイン方式を採用した構成となっており、視野角に依存する画像の色づきを補償するようにしている、いわゆる横電界方式と称される液晶表示装置。」
　
（２）引用刊行物２
　同じく、特開平７−６４１１２号公報（以下「引用刊行物２」という。）には、図とともに下記の事項が記載されている。
　
　ア　「【０００１】
【産業上の利用分野】本発明は、液晶表示装置に関し、特に、歩留まりの向上と特性の安定化を達成した液晶表示装置に関する。」
　
　イ　「【００１１】
【作用】表示電極及びソース・ドレイン配線の材料となるＩＴＯ（１１）上に、Ｍｏ（２０Ｍ）又はＡｌ（２０Ａ）を積層することにより、下層のエッチングレートが遅く、上層のエッチングレートが早い２層構造となる。すなわち、パターニングにおいて、塩酸と塩化第２鉄を調合して得られるエッチャントを用いることにより、Ｍｏ／ＩＴＯまたはＡｌ／ＩＴＯのエッチングレート比を５程度に設定したウエットエッチングを行うことができる。これにより、界面を境にして、上層のＭｏ（２０Ｍ）又はＡｌ（２０Ａ）のエッチングが下層のＩＴＯ（１１）よりも早く進むため、エッジ部においてＩＴＯ（１１）膜の断面はテーパー形状に加工することができる。」
　
　ウ　「【００１３】
【実施例】以下で、本発明の第１の実施例を図１を参照しながら説明する。まず透明基板（１０）上に、スパッタリングによりＩＴＯ（１１）を約１０００Åの厚さに積層し、続いて、Ｍｏ（２０Ｍ）を約５００Åの厚さに積層する。次に、塩酸と塩化第２鉄の混合液で、Ｍｏ／ＩＴＯのエッチングレート比が５程度になるように調整したエッチャントでウエットエッチングを行って、パターニングする。これにより、表示電極（１１Ｐ）、ドレインライン（１１Ｌ）、及び表示電極（１１Ｐ）と一体のソース電極（１１Ｓ）、ドレインライン（１１Ｌ）と一体のドレイン電極（１１Ｄ）のパターンが、エッジ部の断面がテーパー状になって形成される。」
　
　エ　「【００１７】以下で、ＩＴＯ膜のテーパー加工についての他の実施例について説明する。図２は本発明の第２の実施例である。透明基板（１０）上に、スパッタリングによりＩＴＯ（１１）を約１０００Åの厚さに積層し、続いて、Ａｌ（２０Ａ）を約５００Åの厚さに積層する。次に、塩酸と塩化第２鉄の混合液で、Ａｌ／ＩＴＯのエッチングレート比が５程度になるように調整したエッチャントを用いて、ウエットエッチングによるパターニングを行う。これにより、表示電極（１１Ｐ）、ドレインライン（１１Ｌ）、ソース電極（１１Ｓ）、及びドレイン電極（１１Ｄ）のパターンが、エッジ部の断面がテーパー状になって形成される。・・・」
　
　オ　「【００２１】
【発明の効果】以上の説明から明らかなように、ＩＴＯからなるソース・ドレイン配線及び表示電極のパターン形成を行う際、ＩＴＯと同じエッチャントでエッチングでき、かつ、ＩＴＯよりもエッチングレートが早いＭｏ、Ａｌなどと組み合わせることにより、エッジ部をテーパー加工できる。・・・」
　
　よって、これらの記載を総合すると、引用刊行物２には、以下の事項（以下、単に「技術的事項」という。）が記載されていると認められる。
　
「ＩＴＯからなるソース・ドレイン配線及び表示電極のパターン形成を行う際、ＩＴＯと同じエッチャントでエッチングでき、かつ、ＩＴＯよりもエッチングレートが早いＭｏ、Ａｌなどと組み合わせることにより、エッジ部をテーパー加工できること。」
　
　
３　対比
　本願発明と引用発明を対比する。
　
（１）引用発明の「液晶表示装置」は、「液晶を介して対向配置される各基板」を備えるものであって、各基板のうちの「一方の基板」ではない「他方の基板」を備えるものであることは明らかであるから、
　ア　引用発明の「液晶を介して対向配置される各基板のうち一方の基板」、「（前記一方の基板ではない）他方の基板」及び「（対向配置される各基板の間に形成された）液晶」は、それぞれ、本願発明の「第１の基板」、「第２の基板」及び「前記第１の基板と第２基板との間に形成された液晶層」に相当し、
　イ　引用発明は、本願発明の「相互対向する第１及び第２の基板と、前記第１の基板と第２の基板との間に形成された液晶層と、を含む」との事項を備える。
　
（２）引用発明の「液晶表示装置」は、「一方の基板の液晶側の面に、その一方向に延在する複数のゲート信号線と該方向と交差する方向に延在する複数のドレイン信号線とで囲まれる領域を画素領域とし、これら各画素領域に、ゲート信号線からの走査信号によって作動するスイッチング素子と、このスイッチング素子を介してドレイン信号線からの映像信号が供給される画素電極と、この画素電極との間に電界を発生せしめる対向電極とを備え、前記画素電極および対向電極はそれぞれ交互に配置された帯状の複数の電極から構成され」るものであるから、
　ア　引用発明の「（一方の基板の液晶側の面に、その一方向に延在する）複数のゲート信号線」、「（一方の基板の液晶側の面に、複数のゲート信号線の延在方向と交差する方向に延在する）複数のドレイン信号線」、「（対向電極と交互に配置された帯状の複数の電極から構成された）画素電極」、「（画素電極と交互に配置された帯状の複数の電極から構成された）対向電極」は、それぞれ、本願発明の「（前記第１の基板に配列され、複数のデータラインとの間で複数の画素領域を定義する）複数のゲートライン」、「（前記第１の基板に配列され、複数のゲートラインとの間で複数の画素領域を定義する）複数のデータライン」、「（前記画素領域に共通電極と交互に配置された複数の）画素電極」、「（前記画素領域に画素電極と交互に配置された複数の）共通電極」に相当し、
　イ　引用発明は、本願発明の「前記第１の基板に配列されて複数の画素領域を定義する複数のゲートライン及びデータラインと、前記画素領域に交互に配置されて水平電界を発生させる複数の共通電極及び画素電極と、を含む」との事項を備える。
　
（３）引用発明の「画素電極及び対向電極」は、「その上層をエッチング速度の遅い層とし下層をエッチング速度の速い層とした２層構造からなり、下層の幅は上層の幅より狭く」、「電極材料としては、・・・Ｍｏ、Ａｌ・・・のいずれかを含み、また、ＩＴＯ・・・のような透光性の導体層であってもよ」いものであって、上層は下層の上部表面上のみに形成され、下層は上層の縁部から該上層の幅までの領域の中央領域に形成されている、といえるから、
　ア　引用発明の「下層」及び「上層」は、それぞれ、本願発明の「下部層」及び「（前記下部層の上部表面のみに形成される）上部層」に相当し、
　イ　引用発明の「『画素電極及び対向電極』は、『その上層をエッチング速度の遅い層とし下層をエッチング速度の速い層とした２層構造からなり、下層の幅は上層の幅より狭』い」との事項は、本願発明の「前記複数の共通電極及び画素電極はそれぞれ、」「不透明電極で構成される下部層と前記下部層の上部表面上のみに形成された透明電極で構成される上部層を含む多層構造を有し」、「前記不透明電極の幅（Ｗｎ）は、前記透明電極の幅（Ｗｔ）より狭く、画面のコントラスト比を向上させるため前記上部層の縁部から所定の幅（Ｗｔ）までの領域の中央領域に形成され」との事項と、「前記複数の共通電極及び画素電極はそれぞれ、下部層と前記下部層の上部表面上のみに形成された上部層を含む多層構造を有し、前記下部層の幅は、前記上部層の幅より狭く、前記上部層の縁部から所定の幅までの領域の中央領域に形成され」との点で一致する。
　
（４）引用発明は、「各画素電極」が「その延在方向に沿っていくつかの屈曲部が形成され、「各対向電極」が「画素電極と同様に、その延在方向に沿っていくつかの屈曲部が設けられ、画素電極と平行配置を保持したままで、それらがジグザグ状に延在するように構成され」、「いわゆるマルチドメイン方式を採用した構成となっており、視野角に依存する画像の色づきを補償するようにしている」から、引用発明は、本願発明の「ここで、前記複数の共通電極及び画素電極はそれぞれ、ジグザグ形態を有するように形成され」との事項を備える。
　
（５）引用発明の「液晶表示装置」は、本願発明の「液晶表示装置」に相当する。
　
　したがって、両者は、　  
「相互対向する第１及び第２の基板と、
　前記第１の基板に配列されて複数の画素領域を定義する複数のゲートライン及びデータラインと、
　前記画素領域に交互に配置されて水平電界を発生させる複数の共通電極及び画素電極と、
　　　ここで、前記複数の共通電極及び画素電極はそれぞれ、ジグザグ形態を有するように形成され、下部層と前記下部層の上部表面上のみに形成された上部層を含む多層構造を有し、前記下部層の幅は、前記上部層の幅より狭く、前記上部層の縁部から所定の幅までの領域の中央領域に形成され、
　前記第１の基板と第２の基板との間に形成された液晶層と、
を含む液晶表示装置。」
である点で一致し、次の点で相違する。　  
 　 
相違点
［相違点１］
　本願発明は、（多層構造を有する）共通電極及び画素電極の、下部層が不透明電極で構成され、上部層が透明電極で構成され、前記不透明電極の幅（Ｗｎ）が前記透明電極の幅（Ｗｔ）より狭く、画面のコントラスト比を向上させるため前記上部層の縁部から所定の幅（Ｗｔ）までの領域の中央領域に形成され、透明電極と前記不透明電極の間の幅（Ｗｄ）は、前記透明電極でのホワイト輝度の増加に影響するのに対し、引用発明は、共通電極及び画素電極の下部層が不透明電極で構成され、上部層が透明電極で構成され、前記不透明電極の幅（Ｗｎ）が前記透明電極の幅（Ｗｔ）より狭く、画面のコントラスト比を向上させるため上部層の縁部から所定の幅（Ｗｔ）までの領域の中央領域に形成され、透明電極と不透明電極の間の幅（Ｗｄ）が前記透明電極でのホワイト輝度の増加に影響するのか否か、が明らかではない点。
［相違点２］
　共通電極及び画素電極のジグザグ形態において作られる各折れ曲がり部から延伸する部分が、本願発明では、液晶の配向方向に対して１〜３０°であるのに対し、引用発明では、液晶の配向方向に対して何度（°）であるのか明らかではない点。
　
　
４　判断
　上記相違点につき検討する。
［相違点１］について
　上記２（２）によれば、引用刊行物２には上記の技術的事項が記載され、Ｍｏ、ＡｌがＩＴＯよりもエッチングレートが早いことが示されているから、引用発明において、「共通電極及び画素電極」の「（エッチング速度の速い）下層」をＭｏ、Ａｌからなる不透明電極、かつ、「（エッチング速度の遅い）上層」をＩＴＯからなる透明電極となし、その結果、下層である不透明電極の幅が、上層である透明電極の幅より狭く、前記上層の縁部から所定の幅までの領域の中央領域に形成されるようになすことは、当業者が容易になし得ることである。
　そして、その結果として、透明電極と不透明電極の間の幅が、前記透明電極でのホワイト輝度の増加に影響するものとなることは、当業者において明らかなことである。
　なお、本願発明は、「不透明電極の幅（Ｗｎ）が」、「
画面のコントラスト比を向上させるため
　
　ア　「【００１３】
　・・・本発明の目的は、共通電極及び画素電極を透明電極と不透明電極の二重層によって形成することで、抵抗を低減させると共に、画面のコントラスト比を向上させる横電界方式液晶表示装置及びその製造方法を提供することにある。」
　
　イ　「【００２０】
　図１は、本発明の第１実施形態による横電界方式液晶表示装置のアレイ基板の一部を示す平面図で、・・・１つの画素のみを図示する。
・・・
【００２３】
　・・・前記画素領域内には、横電界を発生させるための二重層の共通電極１０８Ａ、１０８Ｂと画素電極１１８Ａ、１１８Ｂが交互に配置されている。・・・
【００２４】
　・・・共通電極１０８Ａ、１０８Ｂ及び画素電極１１８Ａ、１１８Ｂが全て二重層の導電性物質から構成されている・・・。
【００２５】
　・・・共通電極１０８Ａ、１０８Ｂ及び画素電極１１８Ａ、１１８Ｂを構成する導電性物質のうち少なくとも一種類は、不透明な物質から構成されることができ、少なくとも一種類は、表面が露出されても酸化されづらいインジウムスズ酸化物のような透明な導電性物質から構成されることができる。・・・」
　
　ウ　「【００２８】
　図２は、図１に示す液晶表示装置のＩＩａ-ＩＩａ'線に沿う断面を示す例示図で・・・。
・・・
【００３３】
　・・・共通電極１０８Ａ、１０８Ｂ及び画素電極１１８Ａ、１１８Ｂは、透明な導電性物質からなる下部電極である第１の電極１０８Ａ、１１８Ａと不透明な導電性物質からなる上部電極の第２の電極１０８Ｂ、１１８Ｂの二重層から構成され、第２の電極１０８Ｂ、１１８Ｂは、第１の電極１０８Ａ、１１８Ａより幅が狭く形成されているため、画面のコントラスト比及び輝度の面で有利であり、以下、これを図面を参照して詳細に説明する。
・・・
　【００４０】
　・・・画面のコントラスト比は、画面上で像がどれくらい明確に見えるかを判断するする尺度で、輝度の差が大きいほどよく見えるようになり、前記コントラスト比は、パネルの正面中央でホワイト輝度の値をブラック状態での輝度によって割った値として定義する。
・・・
【００４４】
　・・・本発明の二重層電極構造は、２ＩＴＯ構造の輝度面の長所と２メタル構造の画面コントラスト比面の長所を全て有するように透明電極１０８Ａ、１１８Ａと不透明電極１０８Ｂ、１１８Ｂの二重層構造から構成し、特に、不透明電極１０８Ｂ、１１８Ｂを透明電極１０８Ａ、１１８Ａより狭い幅ＷＮを有するように形成する。これは、２ＩＴＯ構造の長所であるホワイト輝度の増加は、透明電極１０８Ａ、１１８Ａの縁部から所定の幅(即ち、ＷＴ)までの領域でのみ影響を及ぼすので、幅ＷＴ以上の中央領域には、画面コントラスト比向上のための不透明電極１０８Ｂ、１１８Ｂを構成するようになる。
【００４５】
　このように、本発明の二重層電極構造は、共通電極及び画素電極を透明電極と不透明電極の二重層によって同一層に形成することによって、２ＩＴＯ構造の横電界方式液晶表示装置の長所と共に画面コントラスト比及び輝度が向上する効果を提供する。」
　
　エ　「【００６０】
　前述したように、第１の共通電極１０８Ａ及び第１の画素電極１１８Ａは、透明な導電性物質から構成され、第２の共通電極１０８Ｂ及び第２の画素電極１１８Ｂは、不透明な導電性物質から構成され、第２の電極１０８Ｂ、１１８Ｂは、画面のコントラスト比及び輝度を同時に向上させるために、第１の電極１０８Ａ、１１８Ａより狭い幅ＷＮを有するように形成する。・・・」
　
　前記アないしエによれば、本願発明の、「不透明電極の幅（Ｗｎ）が」、「
画面のコントラスト比を向上させるため
　しかるところ、引用発明において、「共通電極及び画素電極」の「（エッチング速度の速い）下層」をＭｏ、Ａｌからなる不透明電極、「（エッチング速度の遅い）上層」をＩＴＯからなる透明電極となし、その結果、下層である前記不透明電極の幅が、上層である前記透明電極の幅より狭く、前記上層の縁部から所定の幅までの領域の中央領域に形成されるようにした「液晶表示装置」を構成することは当業者が容易になし得ることであることは上記のとおりであって、そのように構成された「液晶表示装置」は、共通電極及び画素電極を透明電極と不透明電極の二重層構造で構成するとともに、前記不透明電極を前記透明電極より狭い幅で該透明電極の縁部から所定の幅までの領域の中央領域に形成するものであるから、当該「液晶表示装置」も、本願発明と同様、画面のコントラスト比を向上させたものであるといえる。
　よって、この点については、実質的に相違するものとはいえない。
　したがって、引用発明において、上記相違点１に係る本願発明の構成となすことは、当業者が適宜になし得ることである。
　
［相違点２］について
　本願発明において、「共通電極及び画素電極のジグザグ形態において作られる各折れ曲がり部から延伸する部分が液晶の配向方向に対して１〜３０°である」とした理由は、本願明細書（【００８０】）によれば、「一画素に位置する液晶が全て一方向に配列されずに相異なる方向に配列されるようにすることによって、マルチドメインを誘導し」、「マルチドメイン構造によって液晶の複屈折特性による異常光を相互相殺させ」て、「カラーシフト現象を最小化し得る」点にあると認められる。しかるところ、引用発明で、「各画素電極」及び「各対向電極」につき、「その延在方向に沿っていくつかの屈曲部」を設けて「ジグザグ状に延在するように」した理由は、「いわゆるマルチドメイン方式を採用し」、「視野角に依存する画像の色づきを補償する」ためであるから（上記２（１）ウ（【００３１】、【００４１】ないし【００４４】）及びカ（ア）参照。）、本願発明と引用発明とは、その目的を一にするものである。そして、引用発明の「液晶表示装置」は、「（ラビングによって）液晶の分子の初期配向方向を決定づける『配向膜』」を有するものであることを踏まえると、引用発明において、「各画素電極」及び「各対向電極」の「ジグザグ」形態において作られる各「屈曲部」から延伸する部分が液晶の配向方向に対してなす角度を具体的にどの程度とするかは、当業者が当該引用発明を実施する上で設計上適宜に定めるべき事項であるところ、本願明細書の記載をみても、本願発明において、「共通電極及び画素電極のジグザグ形態において作られる各折れ曲がり部から延伸する部分が液晶の配向方向に対して１〜３０°である」とした点に設計的事項の域を超えるほどの格別の技術的意義があるものとは認められない。
　そして、本願発明の奏する効果が、引用発明から当業者が予測困難な程の格別顕著なものということはできない。
　よって、引用発明において、上記相違点２に係る本願発明の構成となすことは、当業者が適宜になし得ることである。
　
　そして、本願発明によってもたされる効果は、引用発明及び上記技術的事項から当業者が予測し得る程度のものである。
　
　したがって、本願発明は、引用刊行物１に記載された発明及び上記技術的事項に基いて当業者が容易に発明をすることができたものである。
　
　
５　むすび
　以上のとおり、本願発明は、引用刊行物１に記載された発明及び上記技術的事項に基いて当業者が容易に発明をすることができたものであるから、特許法第２９条第２項の規定により特許を受けることができない。
　
　よって、結論のとおり審決する。